(57)【要約】      （修正有）【課題】経路としての機能と、詰まった記録媒体を除去しやすい機能を持ち、より扱いしやすい開閉カバーを備えた記録装置を提供すること。【解決手段】記録装置は、筐体３５に対して開閉自在で、閉状態のとき搬送経路の外周の一部を形成する搬送経路ユニット８と、搬送経路ユニット８に設けられた搬送経路案内レバー４３を備える。搬送経路案内レバー４３は、搬送経路ユニット８が閉状態のとき、搬送経路に向けて突き出し、用紙３０を案内する。また、搬送経路ユニット８が開状態のとき、搬送経路ユニットに収納される。【選択図】図５
2013060297.tif 000002
【特許請求の範囲】
【請求項１】
筐体と、
前記筐体に設けられ、記録媒体の搬送経路の内周を形成する搬送経路部と、
前記筐体に対して開閉自在で、閉状態のとき前記搬送経路の外周の一部を形成する前記搬送経路ユニットと、
前記搬送経路ユニットに設けられ、前記搬送経路ユニットが閉状態のとき、前記搬送経路に向けて突き出し、記録媒体を案内し、前記搬送経路ユニットが開状態のとき、前記搬送経路ユニットに収納される案内部材と、
を備えることを特徴とする記録装置。
【請求項２】
前記搬送経路ユニットは、開閉自在な手差しトレイを備え、
前記手差しトレイが開状態のとき、前記案内部材は、前記搬送経路に案内する案内部を備えることを特徴とする請求項１記載の記録装置。
【請求項３】
前記案内部材は、前記搬送経路に向けて突き出した状態で、前記搬送経路ユニットが回動する区間を備え、
前記区間後に、前記案内部材は前記搬送経路ユニットに収納されることを特徴とする請求項１または請求項２記載の記録装置。
【請求項４】
前記案内部材は、前記筐体に設けられたストッパーを備え、
前記搬送経路ユニットが回動され、前記案内部材が前記ストッパーに当接することで、前記案内部材は前記搬送経路ユニットに収納されることを特徴とする請求項３記載の記録装置。
【請求項５】
前記案内部材は、付勢部材により、前記搬送経路に向けて突き出す方向に付勢されていることを特徴とする請求項４記載の記録装置。
【発明の詳細な説明】
【技術分野】
【０００１】
本発明は、記録装置に関し、特に、記録媒体を搬送する搬送経路の構造に関する。
【背景技術】
【０００２】
従来では、特許文献１に示す如く、記録装置は、記録媒体、例えば用紙を収容するカセットから折り返し経路を介して記録ヘッドに案内する搬送経路を備える。そして、カセットと記録ヘッドとの間で記録媒体との間で詰まりが発生した場合に備えて、折り返し経路部分を露出する開閉カバーで、折り返し経路部分を露出させ、詰まった記録媒体を除去することができる。
【先行技術文献】
【特許文献】
【０００３】
【特許文献１】特開２０１０−２２８１６２号公報
【発明の概要】
【発明が解決しようとする課題】
【０００４】
開閉カバーは、折り返し経路を成す外側部分を構成する。開閉カバーは、経路としての機能と、詰まった記録媒体を除去しやすい機能が求められる。
【０００５】
本発明は、このような状況に鑑み成されたものであり、その課題は、経路としての機能と、詰まった記録媒体を除去しやすい機能を持ち、より扱いしやすい開閉カバーを備えた記録装置を提供することである。
【課題を解決するための手段】
【０００６】
上記課題を達成するため、本発明の第１の態様の記録装置は、筐体と、前記筐体に設けられ、記録媒体の搬送経路の内周を形成する搬送経路部と、前記筐体に対して開閉自在で、閉状態のとき前記搬送経路の外周の一部を形成する前記搬送経路ユニットと、前記搬送経路ユニットに設けられ、前記搬送経路ユニットが閉状態のとき、前記搬送経路に向けて突き出し、記録媒体を案内し、前記搬送経路ユニットが開状態のとき、前記搬送経路ユニットに収納される案内部材と、を備えることを特徴とする。
【０００７】
本態様によれば、搬送経路ユニットを閉じた状態では、記録媒体を案内する案内部材が突き出し、搬送経路ユニットを開いた状態では、案内部材が筐体内に収納され、詰まった用紙を容易に取り除くことができる。
【０００８】
本発明の第２の態様は、第１の態様において、前記搬送経路ユニットは、開閉自在な手差しトレイを備え、前記手差しトレイが開状態のとき、前記案内部材は、前記搬送経路に案内する案内部を備えることを特徴とする。
【０００９】
本発明の第３の態様は、第１の態様または第２の態様において、前記案内部材は、前記搬送経路に向けて突き出した状態で、前記搬送経路ユニットが回動する区間を備え、前記区間後に、前記案内部材は前記搬送経路ユニットに収納されることを特徴とする。
【００１０】
本発明の第４の態様は、第３の態様において、前記案内部材は、前記筐体に設けられたストッパーを備え、前記搬送経路ユニットが回動され、前記案内部材が前記ストッパーに当接することで、前記案内部材は前記搬送経路ユニットに収納されることを特徴とする。
【００１１】
本発明の第５の態様は、第４の態様において、前記案内部材は、付勢部材により、前記搬送経路に向けて突き出す方向に付勢されていることを特徴とする。
【図面の簡単な説明】
【００１２】
【図１】プリンターを示す正面から見た斜視図。
【図２】プリンターを示す背面から見た斜視図。
【図３】プリンターを示す背面から見た斜視図で、搬送経路ユニットを開いた斜視図。
【図４】搬送経路の示す断面図。
【図５】搬送経路ユニットの部分断面図。
【図６】搬送経路ユニットの部分斜視図。
【図７】手差しトレイを開いた図。
【図８】搬送経路ユニットを回動させた状態を示す図。
【図９】搬送経路ユニットを回動させた状態を示す図。
【発明を実施するための形態】
【００１３】
以下、本発明の実施の形態を図面に基づいて説明する。
図１は、本発明に係る記録装置の一例であるプリンターを示す正面から見た斜視図である。図２は、プリンターを示す背面から見た斜視図である。図３は、プリンターを示す背面から見た斜視図で、搬送経路ユニットを開いた斜視図である。図４は、搬送経路の示す断面図である。図５は、搬送経路ユニット８の部分断面図である。図６は、搬送経路ユニット８の部分斜視図である。図７は、手差しトレイ４１を開いた図である。図８および図９は、搬送経路ユニット８を回動させた状態を示す図である。
【００１４】
図１に示すように、プリンター１は、プラスチックなどの合成樹脂でなる筐体を成す本体２を備えている。本体２は、正面に、給紙カセット挿入口３と、記録された記録媒体である用紙が排紙される排紙口４が形成されている。給紙カセット挿入口３に給紙カセット５が着脱自在に装着される。本体の２の上面には、記録の入力指示や、記録状態を表示するための操作パネル６が設けられている。
【００１５】
図２に示すように、本体２は、背面に、搬送経路ユニットの装着口７が形成されている。この装着口７に、開閉カバーを成す開閉自在の搬送経路ユニット８が装着されている。搬送経路ユニット８の外表面は、取っ手として機能する凹部９が形成されている。搬送経路ユニット８は、本体２の内側と対向する内面に、後述する搬送経路を成す搬送面が形成されている。
【００１６】
搬送経路ユニット８は、下部に回動軸３１（図４参照）を備え、回動自在に本体２に対して開閉する。図３は、搬送経路ユニット８を開いた状態を示す。搬送経路ユニット８が開くと、装着口７が開口し、搬送経路を成すプラスチックなどの合成樹脂でなる内周側搬送経路形成部１１を露出させることができる。搬送経路ユニット８は、本体２の背面に対して９０度回動させる構成にすることで、装着口７の開口をより大きく開口させることができ、内周側搬送経路形成部１１を露出量も大きくすることができる。
【００１７】
搬送経路ユニット８を開き、装着口７を開口させることで、用紙が詰まった場合に、この装着口７から詰まった用紙を取り除くことができる。
【００１８】
図４は、搬送経路を示す概略の断面図である。本体２の高さ方向における給紙カセット挿入口３と排紙口４との間に、本体２に連結され、搬送経路を構成する内周側搬送経路形成部１１が配置される。内周側搬送経路形成部１１は、下部内周側搬送経路形成部１２と、上部内周側搬送経路形成部１３とを、上下組み合わせて構成される。
【００１９】
下部内周側搬送経路形成部１２は、装着された給紙カセット５の分離斜面１４側に開口部１５が形成されている。この開口部１５を介して、揺動可能な給紙ローラー１６が突出する。給紙ローラー１６は、図示しないモーターによる駆動手段の動力に基づいて、給紙カセット５に載置された用紙の最上位の用紙を給紙する。給紙ローラー１６は、給紙カセット５の載置された最後の一枚を給紙できるように、揺動可能である。また、給紙ローラー１６は、給紙カセット５を装着口７より着脱する際に、給紙カセット５の移動を阻害しないように、退避する機能を備えている。また、下部内周側搬送経路形成部１２は、本体２の正面側に、第１立上り部１７が形成されている。下部内周側搬送経路形成部１２の本体２の背面側は、搬送経路ユニット８の外周側搬送経路面２０に沿って湾曲して立上る、第２立上り部２１が形成されている。
【００２０】
上部内周側搬送経路形成部１３は、上面に記録ヘッド２２が所定の隙間を保ち、対向配置される。この記録ヘッドは、用紙の搬送方向に対して幅方向に往復動する記録ヘッドや、用紙の幅方向に渡り延在するライン型記録ヘッドが好ましい。記録ヘッド２２に対して搬送方向の上流側、すなわち搬送経路ユニット８側には、搬送ローラー２３が配置され、搬送方向の下流側、すなわち排紙口４側には、排紙ローラー２４が配置される。搬送ローラー２３および排紙ローラー２４は、各々１つで構成されているが、上下でニップするように対を成す搬送ローラーおよび排紙ローラーで構成しても良い。その場合は、下側の搬送ローラーおよび排紙ローラーは、上部内周側搬送経路形成部１３より露出するように配置するのが好ましい。
【００２１】
また、上部内周側搬送経路形成部１３は、本体２の正面側に、低い段差で形成された排紙受け面２５と、この排紙受け面２５の端部より立下り、第１立上り部１７に係合する第１立下り部２６が形成されている。また、上部内周側搬送経路形成部１３の搬送ローラー２３より、本体２の背面側は、搬送経路ユニット８の外周側搬送経路面２０に沿って湾曲して立下がり、第２立上り部２１に係合する第２立下り部２７が形成されている。
【００２２】
下部内周側搬送経路形成部１２と上部内周側搬送経路形成部１３が係合することで、内周側搬送経路を成す内周側搬送経路形成部１１が形成される。第２立上り部２１と第２立下り部２７が係合することで、搬送経路ユニット８の外周側搬送経路面２０に沿って湾曲した内周側搬送経路が形成される。
【００２３】
図５は、搬送経路ユニット８の部分断面図を示す。図６は、搬送経路ユニット８の部分斜視図を示す。搬送経路ユニット８の筐体３５は、側面の下部に回動軸３１が突き出して設けられ、本体２に対して回動する。図６に示すように、筐体３５の側面には下端から斜めに延びる切り欠き部３６が形成される。この切り欠き部３６には、本体２から突設したストッパー３７が挿入される。また、筐体３５は、搬送経路を構成する外周側搬送経路面２０が形成され、その上部には、開口部３８が形成されている。筐体３５の外周側搬送経路面２０と反対側である外部への露出側には、収容部３９が形成されている。この収容部３９には、回動軸４０を介して回動自在に開閉する手差しトレイ４１が収容されている。
【００２４】
筐体３５内には、回動軸４２を介して回動可能な、案内部材としての搬送経路案内レバー４３が設けられている。搬送経路案内レバー４３は、一端側が固定台４４に固定されたばね４５により付勢され、搬送経路案内レバー４３の先端が開口部３８より突き出されている。搬送経路案内レバー４３の先端が開口部３８より突き出した状態では、給紙カセット５から給紙された用紙が、外周側搬送経路面２０に沿って案内される。そして、用紙は、搬送経路案内レバー４３の先端の第１案内部４６により、搬送ローラー２３に向けて案内される。
【００２５】
また、図７に示すように、手差しトレイ４１を開くことで、用紙３０を搬送経路案内レバー４３の先端の第２案内部４７により、搬送ローラー２３に向けて案内される。
【００２６】
図８および図９は、搬送経路ユニット８を回動させた状態を示す。図８に示すように、搬送経路ユニット８が回動軸３１を介して回動すると、搬送経路案内レバー４３はばね４５で付勢された状態で、搬送経路ユニット８が回動する。すなわち、搬送経路案内レバー４３の先端は開口部３８より突き出した状態のまま、搬送経路ユニット８は回動する。このとき、回動に伴って、搬送経路案内レバー４３は、本体２より突設したストッパー３７に向かって接近することになる。
【００２７】
図９に示すように、図８の状態からさらに搬送経路ユニット８を回動すると、搬送経路案内レバー４３はストッパー３７に当接する。さらに、搬送経路ユニット８を回動すると、搬送経路案内レバー４３は、ばね４５の付勢に抗して、回動軸４２を中心に回動する。そして、搬送経路案内レバー４３の先端は、開口部３８から引っ込み、筐体３５内に収納される。
【００２８】
以上の構成により、作用を説明する。図４に示すように、給紙カセット５を給紙カセット挿入口３に装着する。給紙カセット５に載置された用紙３０は、給紙ローラー１６により給紙され、給紙カセット５の分離斜面１４に当接して、最上位の用紙３０が給送される。最上位の用紙３０は、搬送経路ユニット８の外周側搬送経路面２０と、内周側搬送経路形成部１１の対向する面とで形成された折り返し経路に搬送される。搬送経路案内レバー４３の先端は、ばね４５で付勢されて開口部３８より突き出されている。用紙３０の先端は、外周側搬送経路面２０に沿って搬送され、図５に示す、搬送経路案内レバー４３の先端の第１案内部４６に当接し、搬送ローラー２３に向けて案内される。そして、用紙３０は、記録ヘッド２２で文字や画像などのデータが記録される。そして、用紙３０は、排紙ローラー２４により排紙受け面２５に排出される。
【００２９】
次に、手差しにより用紙に記録する場合は、図７に示すように、手差しトレイ４１を開く。手差しトレイ４１から挿入された用紙３０は、ばね４５で付勢されて開口部３８より突き出した搬送経路案内レバー４３の第２案内部４７上を通り、搬送ローラー２３に向けて案内される。そして、用紙３０は、記録ヘッド２２で記録され、排紙ローラー２４により排紙受け面２５に排出される。
【００３０】
給紙カセット５と搬送ローラー２３との間で用紙が詰まった場合には、搬送経路ユニット８を回動させ、装着口７を開口し、折り返し経路を露出させる。搬送経路ユニット８を回動させると、図８に示すように、ストッパー３７が搬送経路案内レバー４３に当接するまでは、搬送経路案内レバー４３の先端はばね４５の付勢により開口部３８より突き出した状態で、搬送経路ユニット８が回動する。ストッパー３７が搬送経路案内レバー４３に当接すると、図９に示すように、搬送経路ユニット８の回動に伴い、搬送経路案内レバー４３はストッパー３７を作用点として、ばね４５の付勢に抗して、回動軸４２を中心に回動する。そして、搬送経路案内レバー４３の先端は、開口部３８から引っ込み、筐体３５内に収納される。これにより、詰まった用紙を除去するために、手を差し出しても、搬送経路案内レバー４３に触れることなく、詰まった用紙を除去することができる。
【００３１】
詰まった用紙の除去が済めば、搬送経路ユニット８を閉じる方向へ回動させる。搬送経路案内レバー４３は、搬送経路ユニット８の回動に伴ってストッパー３７から離れると、ばね４５の付勢により、搬送経路案内レバー４３の先端は開口部３８より突き出す。
【００３２】
搬送経路案内レバー４３は、ばね４５の付勢で開口部３８より突き出した状態では、図示しない筐体３５の内部に設けた規制部で突き出し量を規制することが好ましい。また、搬送経路案内レバー４３が筐体３５の内部に収納される状態では、図示しない筐体３５の内部に設けた他の規制部で移動量を規制してもよい。
【００３３】
なお、搬送経路案内レバー４３は、手差しトレイ４１の幅方向に対応した幅を持つことが好ましい。また、搬送経路案内レバー４３を複数に分割して配置しても良い。搬送経路案内レバー４３の先端は、三角形状に突き出した複数の突起で構成しても良い。
【００３４】
本発明は上記実施形態に限定されることなく、特許請求の範囲に記載した発明の範囲内で、種々の変形が可能であり、それらも本発明の範囲内に含まれるものであることは言うまでもない。
【符号の説明】
【００３５】
１  プリンター、２  本体、５  給紙カセット、８  搬送経路ユニット、１１  内周側搬送経路形成部、１４  排出口、２２  記録ヘッド、３１  回動軸、３５  筐体、３７  ストッパー、３８  開口部、４３  搬送経路案内レバー、４６  第１案内部、４７  第２案内部。
【図１】
2013060297.tif 000003
【図２】
2013060297.tif 000004
【図３】
2013060297.tif 000005
【図４】
2013060297.tif 000006
【図５】
2013060297.tif 000007
【図６】
2013060297.tif 000008
【図７】
2013060297.tif 000009
【図８】
2013060297.tif 000010
【図９】
2013060297.tif 000011